(57)【特許請求の範囲】
【請求項１】
第１コイル、前記第１コイルが設けられ前記第１コイルの接続用の第１及び第２端子部を有した第１コイルボビン、を含む第１コイルユニットと、
第２コイル、前記第２コイルが設けられ前記第２コイルの接続用の第３及び第４端子部を有した第２コイルボビン、を含む第２コイルユニットと、
前記第１及び第２コイルユニットが接続されるステータと、
前記ステータにより回転させられるロータと、を備え、
前記第１及び第２コイルは、配線基板を介して電気的に直列で接続され、
前記第２及び第３端子部は隣接しており、
前記配線基板は、前記第１端子部と接続された第１配線、前記第４端子部に接続された第２配線、前記第２及び３端子部を接続するためのランド、を有し、
前記ステータは、互いに対向すると共に先端でロータを挟む第１及び第２腕部を含み、
前記第１及び第２コイルユニットは、前記第１腕部に取り付けられ、
前記第１〜４端子部は、前記第１及び第２腕部の間には設けられておらず、前記第１腕部の外側に設けられており、前記ロータの軸方向に前記ステータと重ならない位置に設けられており、
電流は、前記第１配線、前記第１コイル、前記ランド、前記第２コイル、前記第２配線の順に流れる、ことを特徴とするモータ。
【請求項２】
前記第１コイルボビンは、前記ステータに嵌合されており、前記ステータと接触する円弧状の第１内面を有し、
前記第２コイルボビンは、前記ステータに嵌合されており、前記ステータと接触する円弧状の第２内面を有している、ことを特徴とする請求項１に記載のモータ。
【請求項３】
請求項１又は２に記載のモータを組込んだことを特徴とする電子機器。
【請求項４】
前記電子機器の基板に前記第１及び第２コイルユニットを位置決めするための位置決め部が形成されていることを特徴とする請求項３に記載の電子機器。
【発明の詳細な説明】
【技術分野】
【０００１】
本発明は小型のモータに関する。より詳細には、デジタルカメラ、携帯電話などの小型の電子機器に組込んで使用するのに好適であるモータに関する。
【背景技術】
【０００２】
近年、あらゆる電子機器の小型化が促進されている。例えば携帯電話はより一層の小型、高密度化が促進され、その一方でカメラが標準装備されるようになっている。しかも、カメラにズーム機能を備えるものが多く提供されるようになっている。よって、小型の電子機器に組込まれて使用されるモータについては、より一層の小型化への要請がある。
【０００３】
例えば、特許文献１はモータを組込んだカメラ用の光量調整装置について開示している。この装置に組込まれたモータ部分は、２極着磁されたロータマグネット、このロータマグネットの外周部においてステータ極を対向させたステータ、このステータに磁極を発生させるコイルとを含んで構成されている。特に、この装置のモータ部分はステータに巻回するコイルを片側の腕部に寄せることで薄型化を図ると共に、ロータの回転中心をステータの中心に対して偏心させることでレンズユニットの外径からはみ出ないように工夫した構造とすることで小型化を図っている。
【０００４】
【特許文献１】特開平７−２３４４３５号公報
【発明の開示】
【発明が解決しようとする課題】
【０００５】
特許文献１は、従来にあっては標準形状がコ字状或いはＣ字状であったステータ形状がモータの小型化のために変形されることを示している。しかしながら、特許文献１で開示するモータは、コイルをステータに差し込んで設けるために、コイルを設ける腕部の形状は、従来のステータ形状から変形しているものの未だ従来型に近い形状である。
【０００６】
ところが、今後において益々、電子機器が小型化されるとモータ配置用に確保できるスペース（空間）が小さくなるだけでなく、その形状も多岐になることが予想される。これに対処するにはステータを複雑に屈曲させた形状にすることが求められるが、複雑な形状となったステータに従来の手法ではコイルを設けることができないので、モータの小型化には限界が来ている。
【０００７】
よって、本発明の目的は、配置空間に応じてステータ形状が複雑な形状となる場合でも、これに対処できるモータを提供することである。
【課題を解決するための手段】
【０００８】
上記目的は、コイルが設けられ接続用の端子を備えたコイルユニットをステータに複数配置し、前記複数のコイルユニット各々を電気的に直列で接続することにより前記ステータを励磁するコイルが形成してあることを特徴とするモータによって達成される。このモータは、小さく形成したコイルユニットを連続的に配置して各々を電気的に直列で接続することにより、ステータを励磁する１つのコイルが形成される。コイルユニットのそれぞれは小さくなるので、ステータ形状が曲部を多数含むような複雑な形状であっても容易に送り込むことができる。よって、モータはより一層の小型化を図ることができる。
【０００９】
そして、前記複数のコイルユニットは配線基板を介して電気的に直列で接続されている構造とすることができる。また、前記コイルユニットは前記ステータに嵌合されており、前記ステータと接触する前記分割コイルユニットの内面が円弧状に形成されていることが好ましい。
【００１０】
よって、上記のモータを組込んだ電子機器であれば、より一層の小型化を図ることができる。また、電子機器の基板に前記コイルユニットを位置決めするための位置決め部が形成されていれば、コイルユニットは位置決めでき、また、その位置を安定に保持できるので端子の接続がやり易くなりより好ましい構造となる。
【発明の効果】
【００１１】
本発明によると、配置空間に応じてステータ形状が複雑な形状となる場合でも、これに対処できるので小型を促進したモータを提供する。
【発明を実施するための最良の形態】
【００１２】
以下、図面を参照して、実施例の小型モータについて説明する。図１は、実施例に係る小型を促進したモータ（以下、単にモータと称する）を組込んだカメラ用のシャッタ装置を模式的に示した図である。図１（Ａ）はシャッタ装置の平面図、同（Ｂ）は底面図である。
【００１３】
シャッタ装置１は、開口２ａが形成された基板２、この開口２ａを開閉する２枚のシャッタ羽根３、４、及びこれらのシャッタ羽根３、４を駆動するモータ１０を備えている。
【００１４】
モータ１０は、ステータ１１、コイル１２、ロータ１３を備えており、基板２に固定されている。ロータ１３には、シャッタ羽根３が接着剤等で固着されており、ロータ１３の回転に追従してシャッタ羽根３が揺動できるようになっている。ロータ１３の回転中心軸１３ａはシャッタ羽根３の回転中心軸にもなっている。また、シャッタ羽根３には、他方のシャッタ羽根４を従動させるための駆動ピン３ａが形成されている。シャッタ羽根４は、基板２に立設した支軸５に回動自在に配置されている。よって、シャッタ装置１では、モータ１０を駆動してロータ１３が回動されると、シャッタ羽根３が揺動し、これに伴ってシャッタ羽根４が従動するので開口２ａを開閉できる。
【００１５】
さて、このシャッタ装置１は小型化が促進されており、モータ１０を配置できるスペースも限定され、ステータ１１は従来において一般的であったコ字状等と比較して曲がりの多い特殊な形状となっている。なお、図１（Ａ）ではステータ１１の全体形状が確認できるように、他の部材の背後となる部分は点線で示している。
【００１６】
図１（Ａ）で確認できるようにステータ１１にセットされるコイル１２は複数（本実施例では１２−１、１２−２の２個）に分割されている。このように小さく形成したコイルを各々電気的に接続することで１つのコイルとして機能するようにユニット化して形成してある。分割コイルユニットＵ−１は、コイルボビン１２ａにコイル１２−１と接続用の端子Ｔａ、Ｔｂが設けられた構成となっている。分割コイルユニットＵ−２も同様の構成となっており、コイルボビン１２ｂにコイル１２−２と接続用の端子Ｔａ、Ｔｂが設けられている。分割コイルユニットＵ−１の端子Ｔａと分割コイルユニットＵ−２の端子Ｔｂとが電気的に接続されることにより、分割コイルユニットＵ−１、Ｕ−２が電気的に直列で接続される。そして、分割コイルユニットＵ−１の端子Ｔｂと分割コイルユニットＵ−２の端子Ｔａとが電源と接続される。分割コイルユニットＵ−１、Ｕ−２はそれぞれがコイルの巻回軸方向側に狭幅に小さく形成されているので、ステータ１１の屈曲している部分でも磁極が形成される先端から奥側へ容易に送り込むことができる。分割コイルユニット１２−１、１２−２をステータ１１へ順に１つずつ送り込むことで図１の状態が形成されている。
【００１７】
図１（Ｂ）で示す底面図は、基板２に分割コイルユニットＵ−１、Ｕ−２を受入れる切欠部６を設け、この切欠部６を位置決め部として分割コイルユニットＵ−１、Ｕ−２を位置決めした構造例を示している。このような構造を採用すれば、分割コイルユニットＵ−１、Ｕ−２を正確に位置決めでき、またこれらの分割コイルユニットを配置した後においては位置ずれを防止できる。
【００１８】
各分割コイルユニットＵ−１、Ｕ−２は、両側に端子Ｔａ，Ｔｂを備え、それぞれが独立した小さなコイルユニットになっている。隣接する分割コイルユニットＵ−１の端子Ｔａと分割コイルユニットＵ−２の端子Ｔｂとを電気的に直列で接続することで一つのコイルとして一体化される。そして、左右両端の分割コイルユニットＵ−２の端子Ｔａ、分割コイルユニットＵ−１の端子Ｔｂを外部電源と接続することで全体的に励磁される。
【００１９】
図２は、基板２の背面側に配線基板としてＦＰＣ（Flexible  Printed  Circuit）２０を配設し、このＦＰＣ２０を用いて分割コイルユニットＵ−１、Ｕ−２同士を電気的に直列に接続すると共に、外部電源に接続する構造例を示している。ＦＰＣ２０に設けた、ランド２１でハンダにより分割コイルユニットＵ−１の端子Ｔａと分割コイルユニットＵ−２の端子Ｔｂとが電気的に接続される。そして、分割コイルユニットＵ−１の端子Ｔｂと分割コイルユニットＵ−２の端子Ｔａは、ＦＰＣ２０に設けた配線２２、２３によって図示しない外部電源に接続されている。
【００２０】
以上で説明した実施例のモータ１０は、本来、１つで一定以上の大きさとなるコイルが複数に小さく分割したコイルユニットＵ−１、Ｕ−２により構成される。小さく形成された分割コイルユニットであれば、ステータ１１の形状が曲部を多く含むような複雑な形状でも、ステータ１１の奥側へ容易に送り込むことができる。よって、限られたスペースに適用させることができる小型のモータを容易に製造できる。また、所望の磁束を得るために必要な個数の分割コイルユニットを接続すればよいので、複数種類のモータを設計、準備する必要がなくなるため製造コストを低減することもできる。このようなモータを採用するシャッタ装置等の小型の電子機器であれば更なる小型を促進することができる。
【００２１】
図３は、分割コイルユニットの構造例について示した図である。なお、図３は分割コイルユニットＵ−１を例示的に示している。（Ａ）はステータ１１に嵌合するように形成されている貫通路の内面ＦＳを平面状とした場合、（Ｂ）はステータ１１に嵌合する貫通路の内面ＣＳを円弧状とした場合について示している。（Ｂ）で示すように円弧状に形成しておくと、ステータ１１に分割コイルユニットＵ−１を嵌合させた後に、接触面積が小さいのでスムーズに移動させることができる。よって、加工性が良い、より好ましい分割コイルユニットとなる。
【００２２】
以上で説明した実施例ではモータ１０をシャッタ装置に組込んだ場合について示したが、シャッタ装置１は電子機器の単なる一例である。小型化が促進される種々の電子機器に本発明を適用できることは言うまでもない。このような電子機器はより一層の小型化を図ることができる。
【００２３】
以上、本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００２４】
【図１】実施例の小型モータを組込んだカメラ用のシャッタ装置を模式的に示した図であり、（Ａ）はシャッタ装置の平面図、（Ｂ）は底面図である。
【図２】基２の背面側にＦＰＣを配設した場合の構造例について示した図である。
【図３】分割コイルユニットの構造例について示した図である。
【符号の説明】
【００２５】
１                              シャッタ装置
２                              基板
３、４                          シャッタ羽根
６                              切欠部
１０                            小型モータ
１１                            ステータ
１２（１２−１，１２−２）      コイル
Ｕ−１、Ｕ−２                  分割コイルユニット
１３                            ロータ
２０                            ＦＰＣ（配線基板）
Ｔａ、Ｔｂ                      端子
【図１】
0004620575.tif 000002
【図２】
0004620575.tif 000003
【図３】
0004620575.tif 000004